(57)【要約】【課題】流動食の投与完了時期を目視で簡便に且つ確実に予測したり判別したりでき、商品等表示領域を十分に確保している流動食バッグを提供する。【解決手段】流動食バッグ１は、扁平で不透明な袋状のソフトバッグ１０と、前記ソフトバッグ１０に封入される流動食４０を患者の消化管内へ流出するカテーテルに接続でき前記ソフトバッグ１０の下端辺１４側に設けられた流出ポート５１とを、備えた流動食バッグであって、前記ソフトバッグ１０の上端辺１２側にて上端辺中央部１２ｂよりも一方の上端辺片隅部１２ａ寄りに開けられた懸け吊り穴３０と、前記ソフトバッグ１０の少なくとも片面に設けられ前記上端辺１２側での他方の上端辺片隅部１２ｃから前記下端辺１４側への側辺１３に沿う途中で前記下端辺１４側の下端辺中央部１４ｂへ向いて曲がっており前記流動食４０の液面４１を視認することのできる透明な内視窓２０とを、備えている。【選択図】図１
2015130958.tif 000002
【特許請求の範囲】
【請求項１】
扁平で不透明な袋状のソフトバッグと、前記ソフトバッグに封入される流動食を患者の消化管内へ流出するカテーテルに接続でき前記ソフトバッグの下端辺側に設けられた流出ポートとを、備えた流動食バッグであって、
前記ソフトバッグの上端辺側にて上端辺中央部よりも一方の上端辺片隅部寄りに開けられた懸け吊り穴と、前記ソフトバッグの少なくとも片面に設けられ前記上端辺側での他方の上端辺片隅部から前記下端辺側への側辺に沿う途中で前記下端辺側の下端辺中央部へ向いて曲がっており前記流動食の液面を視認することのできる透明な内視窓とを、備えていることを特徴とする流動食バッグ。
【請求項２】
前記内視窓が、前記流動食の封入全量の１／１２〜１／５、前記流動食の残量の３０〜７０ｍＬ若しくは３０〜７０ｇ、前記流動食の自然落下による前記流出の完了の５〜１０分間前、及び／又は前記側辺の全長の下方側の１／２〜１／４を示すように、前記下端辺中央部へ向いて曲がり始めていることを特徴とする請求項１に記載の流動食バッグ。
【請求項３】
前記内視窓が、前記下端辺中央部へ屈曲及び／又は湾曲して曲がっていることを特徴とする請求項１に記載の流動食バッグ。
【請求項４】
前記ソフトバッグは柔軟なフィルムの周縁を熱融着することによって形成されており、前記流出ポートが前記下端辺側にて前記一方の上端辺片隅部の対角の下端辺片隅部若しくは前記下端辺中央部又はその間で熱融着されていることを特徴とする請求項に記載の流動食バッグ。
【請求項５】
前記懸け吊り穴が前記一方の上端辺片隅部に開けられ、前記流出ポートが前記下端辺中央部で熱融着されており、前記内視窓が前記下端辺片隅部へ向いて湾曲していることを特徴とする請求項４に記載の流動食バッグ。
【請求項６】
前記内視窓が、前記下端辺中央部で前記流出ポートにまで至っていることを特徴とする請求項５に記載の流動食バッグ。
【請求項７】
前記内視窓が、６〜１０ｍｍの幅のまま曲がっていることを特徴とする請求項１に記載の流動食バッグ。
【請求項８】
前記流動食の封入全量が１５０〜６００ｍＬ又は１５０〜６００ｇであり、ソフトバック中に流動食を封入する薬室の内寸として前記下端辺及び上端辺の長さが９０〜１５０ｍｍであり前記側辺の長さが１００〜２５０ｍｍであることを特徴とする請求項１に記載の流動食バッグ。
【発明の詳細な説明】
【技術分野】
【０００１】
本発明は、手術直後の患者、寝たきりの患者のように摂食障害のある患者の消化管に直接投与して栄養補給するのに用いられる流動食バッグに関するものである。
【背景技術】
【０００２】
食道癌摘出のような消化器外科手術や脳外科手術の直後の患者、脳梗塞後遺症や痴呆のような神経障害・高齢で寝たきりの患者のように、消化管機能が保たれているが嚥下機能に障害があるために経口摂食できない患者は、鼻腔や胃瘻・空腸瘻から胃や腸等の消化管に挿入したカテーテルを介して、消化性の良い経腸栄養剤のような流動食を直接投与して、生体維持に必要な栄養が補給される。
【０００３】
このような流動食は、バッグやボトルに封入されている。そのバッグをカテーテルへ繋いで扱いて流動食を胃腸へ流し込んだり、そのボトルから流動食をシリンジで吸い上げてからカテーテルへ繋いで胃腸へ流し込んだりして、健常人の食事時間ないしそれより幾分長めの時間例えば約１５〜３０分間かけて、投与される。このようにゆっくりと流動食を投与するために、看護師等の医療スタッフがバッグを少しずつ扱きながら流動食を押し出して流し込んだり、ボトルからシリンジで流動食を吸い上げてから流し込む操作を何度も繰り返したりして、投与していた。そのため投与時間中、医療スタッフは投与処置を行い続けなければならず、準備処理・投与処置・廃棄の後処理に長期間その患者だけのために拘束されてしまう反面、投与処置時に、バッグ内の流動食の減り具合を触感で判別したり、ボトルの流動食の残量を視覚で判別したりできるため、流動食の投与完了を見誤ることが無かった。しかし、病院での看護や在宅医療の現場では、一人の医療スタッフが患者に付きっきりで毎日２〜３食の流動食投与はかなりの労力と時間とを必要とするばかりか、患者の体位交換やリハビリの看護業務の時間を割かねばならず、医療の効率性や充実性に欠ける。
【０００４】
そこで、最近、上述の投与法が粘度２０，０００ｍＰａ・ｓ程度の半固形タイプの流動食を投与するために用いられていたのに加えて、１，０００〜６，０００ｍＰａ・ｓ程度のとろみ付き流動食が封入されたバッグをスタンドに懸け吊ってカテーテルに繋ぎ流動食を重力によって胃腸等の消化管へ投与する自然落下投与法が行われるようになってきた。これにより一人の看護師だけで多数の患者に流動食を投与でき効率性を向上させつつ、看護処置の充実に資することができる。
【０００５】
このような流動食用のバッグとして、大略長方形の２枚の同形フィルムを揃えてその周囲部分をヒートシールで貼り合わせて袋状に形成され、その長方形の略対角線上の位置に、吊下げ用開口と内容物注出口とが配置されており、充填された液状内容物を、輸液チューブを介して患者に投与するための輸液袋が、特許文献１に開示されている。
【０００６】
また、流動食用のバッグとして、ソフトバッグの底部が自立可能な形状と吊り下げ用の穴とを有し、且つその穴の対角線上の上部にスパウトを有し、その対角線上に真直ぐな透孔及び目盛りを設けた流動食用ソフトバックが、特許文献２に開示されている。
【先行技術文献】
【特許文献】
【０００７】
【特許文献１】特開２００２−９５７２１号公報
【特許文献２】実用新案登録第３０７２４６４号公報
【発明の概要】
【発明が解決しようとする課題】
【０００８】
従来の流動食用のバッグは、不透明であったり真直ぐな透孔があっても狭幅であったりするため、流動食自然落下投与法で流動食を投与したときに、流動食の投与完了時期が、目視で判別し難いという問題があった。さらに、従来の流動食用のバッグは、真直ぐな透孔がバッグ表面の対角線上に設けられているため、商品等表示の邪魔になるばかりか商品等表示の所為で折角の透孔が目立たなくなるという問題があった。
【０００９】
本発明は前記の課題を解決するためになされたもので、流動食の投与完了時期を目視で簡便に且つ確実に予測したり判別したりでき、商品等表示領域を十分に確保している流動食バッグを提供することを目的とする。
【課題を解決するための手段】
【００１０】
前記の目的を達成するためになされた流動食バッグは、扁平で不透明な袋状のソフトバッグと、前記ソフトバッグに封入される流動食を患者の消化管内へ流出するカテーテルに接続でき前記ソフトバッグの下端辺側に設けられた流出ポートとを、備えた流動食バッグであって、前記ソフトバッグの上端辺側にて上端辺中央部よりも一方の上端辺片隅部寄りに開けられた懸け吊り穴と、前記ソフトバッグの少なくとも片面に設けられ前記上端辺側での他方の上端辺片隅部から前記下端辺側への側辺に沿う途中で前記下端辺側の下端辺中央部へ向いて曲がっており前記流動食の液面を視認することのできる透明な内視窓とを、備えている。
【００１１】
流動食バッグは、前記内視窓が、前記流動食の封入全量の１／１２〜１／５、前記流動食の残量の３０〜７０ｍＬ若しくは３０〜７０ｇ、前記流動食の自然落下による前記流出の完了の５〜１０分間前、及び／又は前記側辺の全長の下方側の１／２〜１／４を示すように、前記下端辺中央部へ向いて曲がり始めているものであることが、好ましい。
【００１２】
流動食バッグは、前記内視窓が、前記下端辺中央部へ屈曲及び／又は湾曲して曲がっているものであってもよい。
【００１３】
流動食バッグは、前記ソフトバッグは柔軟なフィルムの周縁を熱融着することによって形成されており、前記流出ポートが前記下端辺側にて前記一方の上端辺片隅部の対角の下端辺片隅部若しくは前記下端辺中央部又はその間で熱融着されているものであると、一層好ましい。
【００１４】
流動食バッグは、前記懸け吊り穴が前記一方の上端辺片隅部に開けられ、前記流出ポートが前記下端辺中央部で熱融着されており、前記内視窓が前記下端辺片隅部へ向いて湾曲しているものであってもよい。
【００１５】
流動食バッグは、前記内視窓が、前記下端辺中央部で前記流出ポートにまで至っていることが、好ましい。
【００１６】
流動食バッグは、前記内視窓の縁が、白色に縁取られているものであると、なお一層好ましい。
【００１７】
流動食バッグは、例えば、前記フィルムが、積層フィルムであって、内層の外面又はそれを覆う中間層若しくは外層の外面若しくは内面で、着色層を有することにより不透明となりつつ、着色層を一部有しないことにより前記内視窓を形成しているものである。
【００１８】
流動食バッグは、前記内視窓が、６〜１０ｍｍの幅のまま曲がっていると、なお一層好ましい。
【００１９】
流動食バッグは、例えば、前記流動食の封入全量が１５０〜６００ｍＬ又は１５０〜６００ｇであり、ソフトバック中に流動食を封入する薬室の内寸として前記下端辺及び上端辺の長さが９０〜１５０ｍｍであり前記側辺の長さが１００〜２５０ｍｍであるものが、好ましい。
【発明の効果】
【００２０】
本発明の流動食バッグは、特に自然落下投与法で流動食を患者の鼻腔や胃瘻から胃等の消化管に投与することができる。この流動食バッグによれば、その投与時に流動食バッグのソフトバッグ表面に設けられた内視窓によりそのバッグ内での流動食の残量を目視で容易く認識でき、あと如何ほどで流動食の投与が完了するかの時期を簡便に予測したり、投与完了を確実に判別したりできる。
【００２１】
この流動食バッグによれば、内視窓が大略Ｊ字状であることにより、とりわけ投与完了に近づくにつれ流動食の液面が一層広範囲で視認できるので、動食の投与完了時期を予測したり判別したりし易くなっている。余り投与完了時期を意識しないで済む投与開始直後から投与中盤においては、ソフトバッグ側辺に沿う内視窓の大略Ｊ字状の縦長部位での流動食液面の高さを目視して投与継続の必要性を確認し、投与完了時期を意識しなければならない投与終盤においては、ソフトバッグの下端辺片隅部へ向いた大略Ｊ字状の湾曲部位・屈曲部位での流動食液面の高さ及び可視幅を目視して投与完了が間近であることを確認し、投与完了時期においては、内視窓で流動食液面が視認できなくなったことを目視して投与すべき流動食がほぼ残存していないことを確認することができる。
【００２２】
この流動食バッグによれば、病院での看護や在宅医療の現場では、患者に付きっきりにならなくとも、確実且つ簡易に投与できるので、患者の体位交換やリハビリ等に看護業務時間を振り分けでき、看護業務の効率化と充実性との向上に資する。
【００２３】
この流動食バッグは、内視窓がソフトバッグの側辺とそこから下端辺中央部とに沿って端寄りに設けられているので、メーカー名・商品名・カタログ番号・成分・用量・容量・熱量などの重要な記載項目をソフトバッグの中央に判り易いように明瞭にたくさん表示することができる。
【００２４】
この流動食バッグは、内視窓以外でソフトバッグ表面が着色されているので、封入されている流動食が紫外線等の活性エネルギー線で劣化するのを防止している。
【００２５】
この流動食バッグは、簡素な構造であるので、簡易に製造でき、用量・カロリー・成分組成に応じた多品種製品に対応できる。
【００２６】
この流動食バッグによれば、胃瘻カテーテルや経鼻カテーテルに直接繋いで液状経腸栄養剤のような流動食を投与する時は、滴下状況が把握できる点滴筒付き栄養セットをわざわざ使用しなくとも、流動食の滴下状況が一瞥して簡易に分かる。とりわけ、自然落下による投与が可能なとろみ状液体のような流動食を投与する時であれば、投与経路に点滴筒がないことによってカテーテル等投与経路における流動食の流動状況が視認し難くとも、流動食バッグを一瞥すれば把握できるので、メリットがある。
【図面の簡単な説明】
【００２７】
【図１】本発明を適用する流動食バッグの正面図である。
【図２】本発明を適用する流動食バッグを形成するフィルムの模式断面図である。
【図３】本発明を適用する別な態様の流動食バッグの正面図である。
【図４】本発明を適用する流動食バッグの製造途中を示す斜視図である。
【図５】本発明を適用する流動食バッグの使用途中を示す斜視図である。
【発明を実施するための形態】
【００２８】
以下、本発明を実施するための形態を詳細に説明するが、本発明の範囲はこれらの形態に限定されるものではない。
【００２９】
本発明の流動食バッグ１の一態様を、正面図である図１を参照しながら、説明する。
【００３０】
流動食バッグ１は、図１に示す通り、柔軟な熱可塑性樹脂製のラミネートフィルムの周縁で熱融着しており正面側及び背面側が略矩形であって袋状になっているソフトバッグ１０と、ソフトバッグ１０に封入されて滅菌されており粘度が１，０００〜６，０００ｍＰａ・ｓ程度のとろみ性液状のような流動食４０と、流動食４０を患者の消化管内へ流出するカテーテル５４（図５参照）に接続できソフトバッグ１０の下端辺１４側で流動食４０を排出可能に熱融着されている流出ポート５１とを、備えている。ソフトバッグ１０は、流動食４０が封入されていることにより膨らんでおり、外形が扁平している。
【００３１】
全周縁のうち、懸け吊られたときに上側となる周縁である上端辺１２側は、両片隅部１２ａ・１２ｃに近づく程、大きく熱融着されている。その上端辺１２側の一方の上端辺片隅部１２ａに、懸け吊り穴３０が貫通して開けられている。
【００３２】
ソフトバッグ１０は、上端辺１２側での両片隅部１２ａ・１２ｃから下端辺１４側での両片隅部１４ｃ・１４ａへ至る側辺１１・１３が、均等な幅で熱融着されている。
【００３３】
ソフトバッグ１０は、側辺１１・１３と下端辺１４とが交差する下端辺１４側での両片隅部１４ａ・１４ｃの近傍で両片隅部１４ａ・１４ｃに近づく程広く熱融着されている。
【００３４】
ソフトバッグ１０は、下端辺１４側の下端辺中央部１４ｂで、それの表側のラミネートフィルムと裏側のラミネートフィルムとに挟まれて、流出ポート５１が熱融着されている。流出ポート５１は、ソフトバッグ１０の内外に通じる流出穴５１ａ（図４参照）が開いている。
【００３５】
ソフトバッグ１０は、周縁が熱融着され、流出ポート５１の雄螺子５１ｃにキャップ５２の雌螺子５１ｅが螺合していることにより、流動食４０を外界から隔離したまま封入している。
【００３６】
ソフトバッグ１０は、内層１０ａを７０μｍの透明なポリエチレン（ＰＥ）層とし、中間層１０ｂを二軸延伸（ＯＮＹ）した１５μｍの透明なポリアミド（ＰＡ）層とし、外層１０ｃを１２μｍの透明なポリエチレンテレフタレート（ＰＥＴ）層とするもので、ラミネート加工したラミネートフィルムで成形されている。外層１０ｃの外側面に、印刷された着色層１０ｄを有している。内層１０ａ、中間層１０ｂ、外層１０ｃ及び着色層１０ｄからなるフィルムによりソフトバッグ１０が形成され、ほぼ全表面が遮光され不透明になっている（図２参照）。
【００３７】
ソフトバッグ１０の片面であるおもて面は、着色層１０ｄを一部有していないことにより、流動食４０の液面４１を視認できる透明な内視窓２０を有している。内視窓２０は、懸け吊り穴３０を有しない他方の上端辺片隅部１２ｃから、懸け吊り穴３０を有する上端辺片隅部１２ａに対向する下端辺１４側の下端辺片隅部１４ａへの側辺１３に沿って、その側辺１３の全長の下方側の途中まで真直ぐ伸びて、縦長部位２２を形成している。内視窓２０は、そこから下端辺１４側の下端辺中央部１４ｂへ向かって流出ポート５１の流出穴５１ａ近傍に至るまで緩やかに湾曲して、湾曲部位２３を形成している。
【００３８】
この流動食バッグ１は、懸け吊り穴３０で懸け吊られて、流動食４０を流出する際に、その流出に従い液面が低下していく様を、内視窓２０により、目視することができる。
【００３９】
内視窓２０は、縦長部位２２から湾曲部位２３への境目が、流動食４０の封入全量の１／１２〜１／５、好ましくは１／１０〜１／５、又は流動食４０の残量の３０〜７０ｍＬ若しくは３０〜７０ｇ好ましくは５０ｍＬ若しくは５０ｇ、又は流動食４０の自然落下による流出の完了の５〜１０分間前好ましくは５〜７分前、又は側辺１３の全長の下方側の１／２〜１／４好ましくは１／３〜１／４となる位置となっているものであると、投与完了時期の予測や確認を行い易くなる。
【００４０】
流動食バッグは１、例えば、流動食４０の封入全量が１５０〜６００ｍＬ好ましくは２００〜５５０ｍＬ、又は１５０〜６００ｇ好ましくは２００〜５５０ｇである。内視窓２０から流動食４０の液面４１が見え易いように、ソフトバック中に流動食を封入する非熱融着の薬室の内寸として、下端辺１４及び上端辺１２の長さが９０〜１５０ｍｍ好ましくは１０５〜１２５ｍｍであり、側辺１１・１３の長さが１００〜２５０ｍｍ好ましくは１５０〜２０５ｍｍとなっている。
【００４１】
投与開始直後から投与中盤においては内視窓２０の縦長部位２２から流動食４０の液面４１が目視され、投与終盤から投与完了時期においては、内視窓２０の湾曲部位２３での液面４１が目視されることによって、投与継続の必要性・投与完了を確認できる。
【００４２】
内視窓２０の幅は、縦長部位２２と湾曲部位２３とで均等に６〜１２ｍｍ、好ましくは６〜１０ｍｍとなっている。この幅が太すぎるとソフトバッグ１０の遮光性を低下させて流動食４０を光で劣化させてしまう恐れがある。一方この幅が細すぎると流動食４０の液面４１が目視し難くなってしまう。
【００４３】
内視窓２０の縁２１が、白色に縁取られている。この縁２１により、乳白色ないし淡黄色である流動食４０と黄色・桃色・赤色・緑色等の目立つ有彩色である着色層１０ｄ（図２参照）との色調の差異が目立ち、着色層１０ｄの色調に影響されることなく、流動食４０の液面４１を一層明確に確認することができる。この縁２１は着色層１０ｄと同様に印刷によって付されている。
【００４４】
着色層１０ｄに、メーカー名・商品名・カタログ番号・成分・用量・容量・熱量などの重要な記載項目１５が印刷されていることにより、流動食バッグ１は、一見して他の製品と識別できる。また、内視窓２０が、側辺１３と下端辺１４とに沿い記載項目１５の印刷領域を邪魔せず、記載項目１５をソフトバッグ１０の中央で分断されることなく、纏めて大きく判り易いように明瞭に表示することができる。
【００４５】
内視窓２０に、流動食４０の残量を示す数字が付されていてもよい。
【００４６】
内視窓２０がソフトバッグ１０の正面側の片面にのみ設けられている例を示したが、対称にソフトバッグ１０の正面側・背面側の両面に設けられていても良い。両面に設けられていると、裏表両方向の何れからでも、流動食バッグ１の向きを考慮しなくて一瞥して内視窓２０を確認できるので、医療スタッフの確認作業の簡素化に資する。
【００４７】
内視窓２０が、下端辺中央部１４ｂで流出ポート５１の流出穴５１ａにまで至っていると、なお一層好ましい。これにより、流出ポート５１の流出穴５１ａの位置と、内視窓２０の終端位置とが一致するので、流動食４０を視認し易い状態のまま、投与完了まで確実に維持できる。
【００４８】
流動食４０は、粘度が１，０００〜６０００ｍＰａ・ｓ、好ましくは１，０００〜５０００のｍＰａ・ｓ、より好ましくは１，０００〜４０００のｍＰａ・ｓ、より一層好ましくは２０００ｍＰａ・ｓの経腸栄養剤（とろみ性液状栄養剤）であってもよい。
【００４９】
流動食バッグ１の熱融着部位は、図３（ａ）に記載項目１５を省略して示すように、湾曲部位２３と、側辺１３及び下端辺１４での熱融着部位と非融着部位とのきわとが、平行に湾曲していると、流動食４０の流出完了に近づいてから流出完了するまでの流出状況の視認性がより一層スムーズとなるので、好ましい。
【００５０】
流動食バッグ１は、同図（ｂ）に示すように、上端辺中央部１２ｂよりも一方の上端辺片隅部１２ａ寄りに、懸け吊り穴３０が、開けられているものであってもよい。上端辺１２が略真直ぐに熱融着され、懸け吊り穴３０が上端辺１２よりも突き出して設けられることによって、ソフトバッグ１０の流動食４０の収容量を変えることなく一層コンパクトにすることができる。
【００５１】
流動食バッグ１は、同図（ｃ）に示すように、懸け吊り穴３０を有する上端辺片隅部１２ａに対向する下端辺１４側の下端辺片隅部１４ａに、流出ポート５１を、設けているものであってもよい。これにより、流動食４０をほぼ完全に流出させ尽くすことができる。
【００５２】
流動食バッグ１は、同図（ｄ）に示すように、内視窓２０が、縦長部位２２から下端辺中央部１４ｂへ向かって流出ポート５１の流出穴５１ａ近傍へ屈曲して、屈曲部位２３’を形成しているものであってもよい。これにより、流動食４０の液面４１が投与終盤で急激に広く見えようになり、投与完了時に広く見えていた液面４１が急激に見えなくなるので、流動食４０の投与完了が把握し易い。
【００５３】
流動食バッグ１は、同図（ｅ）に示すように、内視窓２０が、縦長部位２２から下端辺中央部１４ｂへ向かって流出ポート５１の流出穴５１ａ近傍へ内側が屈曲しつつ外側が湾曲して、屈曲／湾曲部位２３”を形成するものであってもよい。これにより、流動食４０の液面４１が、投与終盤で急激により一層広く見えようになり、投与完了時に広く見えていた液面４１が次第に見えなくなる様子がより一層明確になるので、流動食４０の投与完了が把握し易い。
【００５４】
流動食バッグ１は、同図（ｆ）に示すように、内視窓２０は、複数の湾曲部位２３ａ・２３ｂ・２３ｃを有することにより、流動食４０の液面４１が、複数の湾曲部位２３ａ・２３ｂ・２３ｃの何れで見えているかによって、流動食４０の残量を一層詳細に予測することができる。なお、複数の湾曲部位のうち、縦長部位２２に連続していない湾曲部位２３ａ・２３ｂは印刷領域の妨げにならないよう設けられている。
【００５５】
流動食バッグ１のソフトバッグ１０のフィルム及び流出ポート５１並びにキャップ５２の素材は、前記以外の熱可塑性プラスチック、例えばポリエチレン、ポリプロピレン、ポリブテン、ポリブタジエン、ポリイソプレン、ポリ−４−メチルペンテン−１、ポリスチレン、ポリ酢酸ビニル、ポリメタクリル酸メチル、ポリメタクリル酸エチル、ポリアクリル酸、環状ポリオレフィン、ポリアクリロニトリル、ポリアミド（ナイロン）、ポリエステル、ポリウレタン、ポリカーボネート、ポリイミド、ポリフェニレンスルフィド、ポリ塩化ビニルからなる群の少なくとも１つを含む単独重合体及び／又は共重合体及び／又はポリマーブレンドであってもよい。流動食バッグ１のソフトバッグ１０が多層フィルム製である場合のフィルムの中間層１０ｂは、内視窓２０が開けられたアルミニウム箔であってもよい。
【００５６】
流動食バッグ１は、図４のようにして製造される。先ず、流出ポート５１及びキャップ５２を熱可塑性プラスチックで射出成形等により成形する。
【００５７】
次いで、外層１０ｃを成すプラスチックシートの露出面にインキで印刷して、正面側及び背面側にメーカー名・商品名・カタログ番号・成分・用量・容量・熱量などの重要な記載項目１５（図４中、省略）及び有彩色の背景色からなる着色層１０ｄを印刷しつつ、正面側で内視窓２０の縁２１と印刷し、その縁２１内を印刷しないことにより内視窓２０を形成する。次いで、外層１０ｃを成すプラスチックシートと、中間層１０ｂ及び内層１０ａを夫々成すプラスチックシートとを貼り合わせ、ラミネート加工する。流動食４０の容量に合わせ長矩形となるように流動食バッグ１の所定の大きさに裁断してから、ガセット折りして、流動食バッグ形成用ラミネートシートを形成する。
【００５８】
流動食バッグ形成用ラミネートシートのガセット折りした上端辺１２側での両片隅部１２ａ・１２ｃから下端辺１４側での両片隅部１４ｃ・１４ａへ至る側辺１１・１３（図１参照）を前記の熱融着法で熱融着する。次いで、上端辺１２を、両片隅部１２ａ・１２ｃに近づく程、大きく、熱融着し、開口した袋状のソフトバッグ１０にする。その上端辺１２側の一方の上端辺片隅部１２ａに、懸け吊り穴３０を、穴開けパンチで、貫通して開ける。その袋状内空に、開口から流動食４０（図１参照）を流し込む。最後に、流動食バッグ１の下端辺１４になるその開口を、その中央でキャップ５２により封鎖された流出ポート５１の台座５１ｂごと、熱融着して封止し、流動食バッグ１を作製する。流動食バッグ１は、必要に応じ高圧蒸気滅菌により滅菌処理される。
【００５９】
流動食バッグ１は、図５のようにして使用される。先ず、患者６０の胃に経皮内視鏡的胃瘻造設術で形成された胃瘻５７に、カテーテル５４の患者側コネクター５６を接続する。流動食バッグ１のキャップ５２を開封し、カテーテル５４のバッグ側コネクター５３に流出ポート５１を捻じ込んで、流出ポート段差５１ｄで抜け落ちないように、接続する。次いで、懸け吊り穴３０をスタンド７０のフック７１に通して、流動食バッグ１を懸け吊る。流動食バッグ１は自重により多少傾いている。必要に応じ、クレンメ５５でカテーテル５４の流路を締めて、流動食４０の流量を調節する。すると、流動食４０が、流動食バッグ１から緩々とカテーテル５４へ流出し、患者側コネクター５６、胃瘻５７を経て、患者６０の胃へ投与される。
【００６０】
投与開始直後は、流動食バッグ１内の流動食４０の液面４１ａが、内視窓２０の縦長部位２２から見えている。内視窓２０の縦長部位２２は細長であるので、液面４１ａは縦長部位２２の幅と然程変わらないが、流動食４０の液面４１ａの高さを目視して投与継続の必要性を確認することができる。さらに、流動食バッグ１が流動食４０によって全体が膨らんでおり、またガセット折りとなっているために上端辺１２が正面側と背面側とで撓っていることによっても、投与継続の必要性を確認できる。
【００６１】
投与中盤においては、流動食４０が幾分流出していることに応じ、流動食４０の液面４１ｂが、内視窓２０の縦長部位２２から、徐々に低下していることが見えている。さらに、流動食バッグ１が流動食４０によって全体が膨らみつつ上端辺１２が撓んでいることによっても、投与継続の必要性を確認できる。
【００６２】
投与終盤においては、流動食バッグ１が流動食４０によってかなり萎み上端辺１２が撓らず張っているが、萎み具合だけでは残量を識別し難くなっている。しかも流動食４０の残存液量が減って液面４１が低下すると差圧を稼げなくなり、流動食４０が流出し難くなる。それにも関わらず、この流動食バッグ１は、懸け吊られていると自重で傾いているので、流動食４０がかなり流出していることに応じ、流動食４０の液面４１ｃが、内視窓２０の湾曲部位２３から、徐々に低下しつつ液面４１ｃの幅が広くなり見えているので、視認性が向上し、投与完了が間近であることを明確に確認できる。
【００６３】
その後、投与完了時期においては、流動食４０が自然落下し尽くすことによって、流動食バッグ１が陰圧になる。そのとき、おもて面の内視窓２０とソフトバッグ１０のうら面との内面同士が密着する。それによって流動食４０の液面４１が視認できなることを、目視して、投与すべき流動食４０が残存しなくなったこと、即ち投与が完了したことを明確に確認できる。
【００６４】
投与が完了したら、胃瘻５７から、カテーテル５４の患者側コネクター５６を外し、カテーテル５４の患者側コネクター５６ごと流動食バッグ１を破棄する。一方、胃瘻５７を白湯で洗浄し、必要に応じて酢水や消毒液で洗浄し、胃瘻用栓で、胃瘻５７を塞ぐ。
【００６５】
流動食バッグ１を用いれば、一回の投与につき、準備から廃棄処理までに約６０分間かかり、うち約１５〜３０分間経腸投与することになるが、看護師等の医療スタッフは、一人の患者にかかりっきりにならないで済む。
【００６６】
なお、流動食バッグ１は、手絞り又は加圧して、患者に投与する場合に使用してもよい。
【産業上の利用可能性】
【００６７】
本発明の流動食バッグ１は、摂食障害のある患者へ鼻腔や胃瘻から胃等の消化管に投与する経腸栄養投与の際に、用いられる。
【符号の説明】
【００６８】
１：流動食バッグ、  １０：ソフトバッグ、  １０ａ：内層、  １０ｂ：中間層、  １０ｃ：外層、  １０ｄ：着色層、  １１：側辺、  １２：上端辺、  １２ａ：上端辺片隅部、  １２ｂ：上端辺中央部、  １２ｃ：他方の上端辺片隅部、  １３：側辺、  １４：下端辺、  １４ａ：下端辺片隅部、  １４ｂ：下端辺中央部、  １４ｃ：下端辺片隅部、  １５：記載項目、  ２０：内視窓、  ２１：縁、  ２２：縦長部位、  ２３・２３ａ・２３ｂ・２３ｃ：湾曲部位、  ２３’：屈曲部位、  ２３”：屈曲／湾曲部位、  ３０：懸け吊り穴、  ４０：流動食、  ４１・４１ａ・４１ｂ・４１ｃ・４１ｄ：液面、  ５１：流出ポート、  ５１ａ：流出穴、  ５１ｂ：台座、  ５１ｃ：雄螺子、  ５１ｄ：流出ポート段差、  ５１ｅ：雌螺子、  ５２：キャップ、  ５３：バッグ側コネクター、  ５４：カテーテル、  ５５：クレンメ、  ５６：患者側コネクター、  ５７：胃瘻、  ６０：患者、  ７０：スタンド、  ７１：フック
【図１】
2015130958.tif 000003
【図２】
2015130958.tif 000004
【図３】
2015130958.tif 000005
【図４】
2015130958.tif 000006
【図５】
2015130958.tif 000007